(57)【特許請求の範囲】
【請求項１】
被変調データとして予め定めたフォーマットのデジタルデータを送出すると共に、被変調データのフレーム先頭を示すフレーム指示信号とを送出するデジタルデータ発生器と、
デジタルデータ発生器から送出される被変調データを変調する第１および第２の変調器と、
第１の変調器から出力される第１の変調波の通過と遮断を行う第１の切り換えスイッチと、
第２の変調器から出力される第２の変調波の通過と遮断を行う第２の切り換えスイッチと、
第１の切り換えスイッチを通過した第１の変調波と第２の切り換えスイッチを通過した第２の変調波とを加算する加算器と、
タイミングおよび制御状態指示信号とフレーム指示信号とを受けて、フレーム指示信号の入力時からタイミングおよび制御状態指示信号中のタイミング指示信号に基づく時間遅れた時期に、第１の変調波と第２の変調波を同時に切り換える瞬時切り換え状態と、第１の変調波と第２の変調波を所定期間にわたり重複して出力させる重複切り換え状態と、第１の変調波と第２の変調波を所定期間にわたり遮断する遮断切り換え状態とに、タイミングおよび制御状態指示信号中の制御状態指示信号に基づいて選択的に第１および第２の切り換えスイッチを制御するための第１および第２の制御信号を送出する切替信号発生器と、
を備えたことを特徴とするサイトダイバーシティシミュレータ。
【発明の詳細な説明】
【０００１】
【発明の属する技術分野】
本発明は衛星放送において運用されるサイトダイバーシティを容易に模擬することができるサイトダイバーシティシミュレータに関する。
【０００２】
【従来の技術】
衛星放送において降雨時の電波の減衰などの影響を避けるためや、送信設備の保守点検のために、その時まで使用していたアップリンク局を離れた位置に設けられた他のアップリンク局に切り換えて、変調波を途絶えることなく送信するサイトダイバーシティ運用が行われる。
【０００３】
サイトダイバーシティでは、図４（ａ）および図４（ｂ）に示す如く、送信設備１１−１とアンテナ１１−２を備えたアップリンク局１１と、送信設備１２−１とアンテナ１２−２を備えたアップリンク局１２とは離れた位置に設けられている。アップリンク局１１とアップリンク局１２とは通信回線で通信が可能にされていて、通信結果に基づいてアップリンク局１１とアップリンク局１２とは選択的にアップリンク変調波を送出するべく切り換えられる。
【０００４】
図４（ａ）において、アップリンク局１１からアップリンク変調波を衛星１３に送出し、衛星１３から送出されるダウンリンク変調波をアウトドアユニット１４−２と受信機１４−１からなる衛星放送受信機１４にて受信させる。同様に、アップリンク局１２はアップリンク局１１に代わってアップリンク変調波を衛星１３に送出し、衛星１３から送出されるダウンリンク変調波を衛星放送受信機１４にて受信させる。図４（ａ）においては、アップリンク局１１が衛星１３にアップリンク変調波を送出している場合を示し、図４（ｂ）においては、アップリンク局１２が衛星１３にアップリンク変調波を送出している場合を示している。
【０００５】
例えば、放送中にアップリンク局１１が局設備点検、周辺の激しい降雨などのために、変調波の送出を停止させなければならない状態であるとすると、放送中の電波の停波をしてはならないために、アップリンク局１１に代わってアップリンク局１２から変調波を送出しなければならない。
【０００６】
この場合、アップリンク局１２から変調波を送出するタイミングが問題となる。このタイミングはアップリンク局１１が停波した直後にアップリンク局１２が変調波を送出することが望ましい。
【０００７】
これは、切り換え時に変調波の送出を途絶えさせることをなくするためである。しかし、（α）アップリンク局１１（１２）が停波し、しばらくしてからアップリンク局１２（１１）が変調波を送出したとすると、両局から変調波が送出されていない放送中断の状態となり、（β）アップリンク局１１（１２）が停波していないときに、アップリンク局１２（１１）が変調波を送出したとすると、両アップリンク局から送出された変調波が重なってしまう状態となり、（α）および（β）のいずれの状態にしても衛星放送受信機１４と中継している衛星１３に多大の影響を与える。
【０００８】
このような状態を避けるために、アップリンク局１１とアップリンク局１２とは通信回線によって停波するタイミングを認識し、即座に変調波の切り換えを行えるようにしている。
【０００９】
【発明が解決しようとする課題】
しかしながら、衛星放送受信機の開発において、サイトダイバーシティ運用時の実験を行うためには、上記した本放送と同様に、実際に衛星を使用しなければならなかった。このため、実験にはアップリンク局２局を運用する必要があり、決められた時間内でしか実験ができないなどの実験時間の制約を受けるほかに、費用がかさむという問題点があった。
【００１０】
本発明は、簡易にサイトダイバーシティ運用実験が行えるサイトダイバーシティシミュレータを提供することを目的とする。
【００１１】
【課題を解決するための手段】
本発明にかかるサイトダイバーシティシミュレータは、被変調データとして予め定めたフォーマットのデジタルデータを送出すると共に、被変調データのフレーム先頭を示すフレーム指示信号とを送出するデジタルデータ発生器と、
デジタルデータ発生器から送出される被変調データを変調する第１および第２の変調器と、
第１の変調器から出力される第１の変調波の通過と遮断を行う第１の切り換えスイッチと、
第２の変調器から出力される第２の変調波の通過と遮断を行う第２の切り換えスイッチと、
第１の切り換えスイッチを通過した第１の変調波と第２の切り換えスイッチを通過した第２の変調波とを加算する加算器と、
タイミングおよび制御状態指示信号とフレーム指示信号とを受けて、フレーム指示信号の入力時からタイミングおよび制御状態指示信号中のタイミング指示信号に基づく時間遅れた時期に、第１の変調波と第２の変調波を同時に切り換える瞬時切り換え状態と、第１の変調波と第２の変調波を所定期間にわたり重複して出力させる重複切り換え状態と、第１の変調波と第２の変調波を所定期間にわたり遮断する遮断切り換え状態とに、タイミングおよび制御状態指示信号中の制御状態指示信号に基づいて選択的に第１および第２の切り換えスイッチを制御するための第１および第２の制御信号を送出する切替信号発生器と、
を備えたことを特徴とする。
【００１２】
本発明にかかるサイトダイバーシティシミュレータによれば、デジタルデータ発生器から送出される被変調データは第１および第２の変調器によって変調される。デジタルデータ発生器から送出されるフレーム指示信号の入力時からタイミングおよび制御状態指示信号中のタイミング指示信号に基づく時間遅れた時期に、第１の変調波と第２の変調波を同時に切り換える瞬時切り換え状態と、第１の変調波と第２の変調波を所定期間にわたり重複して出力させる重複切り換え状態と、第１の変調波と第２の変調波を所定期間にわたり遮断する遮断切り換え状態とに、タイミングおよび制御状態指示信号中の制御状態指示信号に基づいて選択的に第１および第２の切り換えスイッチを制御するための第１および第２の制御信号が切替信号発生器から、第１および第２の切り換えスイッチに送出され、第１および第２の切り換えスイッチから送出される変調波は加算器によって加算される。したがって、フレーム指示信号を基準に指定した時期に変調波の瞬時切り換え、重複切り換え、遮断切り換えの選択が行えて、簡易にサイトダイバーシティ運用実験が模擬できることになる。
【００１３】
【発明の実施の形態】
以下、本発明にかかるサイトダイバーシティシミュレータを実施の一形態によって説明する。
【００１４】
図１は本発明の実施の一形態にかかるサイトダイバーシティシミュレータの構成を示すブロック図である。
【００１５】
図１に示した本発明の実施の一形態にかかるサイトダイバーシティシミュレータは、デジタルデータ発生器１によってデジタルデータを発生させる。デジタルデータ発生器１から発生させたデジタルデータは被変調波として変調器２および３に供給して変調する。変調器２および３から出力される変調波はそれぞれ切り換えスイッチ５および６に各別に供給し、切り換えスイッチ５および６から出力される変調波は加算器７に供給して加算して出力する。
【００１６】
デジタルデータ発生器１から発生されるデジタルデータは、図３（ａ）に示すフレーム構成の如くなっており、１フレームは図３（ｂ）に示すようにヘッダ情報、変調方式情報、主データから構成されている。デジタルデータ発生器１はフレーム同期信号に同期した図３（ｃ）に示すフレーム指示信号を発生し、フレーム指示信号は切替信号発生器４に送出される。
【００１７】
切替信号発生器４はフレーム指示信号とタイミングおよび制御状態指示信号とを受けて、フレーム指示信号にてトリガされタイミングおよび制御状態指示信号中のタイミング指示信号（以下、単にタイミング指示信号とも記す）に基づく期間フレーム指示信号から遅れた時期を切り換えスイッチ５および６の状態切り換え時期とし、かつ該時期からタイミングおよび制御状態指示信号中の制御状態指示信号（以下、単に制御状態指示信号とも記す）に基づく状態に切り換えスイッチ５および６を切り換え制御するために切り換え信号ａおよびｂの状態を変更する。以下、切り換えスイッチ５および６の状態を、切り換えスイッチ５および６が入力変調波を加算器７に導く状態をオン状態と記し、切り換えスイッチ５および６が入力変調波を遮断する状態をオフ状態と記す。
【００１８】
さらに詳細には、切替信号発生器４から出力される切り換え制御信号ａおよびｂの状態変更は、フレーム指示信号を基準にしてタイミングおよび制御状態指示信号中のタイミング指示信号に基づき遅れて行われる。
【００１９】
また、制御状態指示信号に基づく切り換え信号ａおよびｂの高電位状態と低電位状態とによって、（ａ）切り換えスイッチ５のオン状態からオフ状態への切り換えと切り換えスイッチ６のオフ状態からオン状態への切り換えとを同時に行うか、（ｂ）切り換えスイッチ５のオン時から所定の期間切り換えスイッチ６をオン状態に維持した後オフ状態に制御して所定の期間切り換えスイッチ５および６を共にオン状態に維持させるか、（ｃ）切り換えスイッチ５のオフ時から所定の期間切り換えスイッチ６をオフ状態に維持した後オン状態に制御して所定の期間切り換えスイッチ５および６を共にオフ状態に維持させるかの、３つの切り換え状態に切り換えスイッチ５および６の状態を制御する。
【００２０】
上記のように構成された本発明の実施の一形態にかかるサイトダイバーシティシミュレータにおいて、デジタルデータ発生器１において発生されたデジタルデータが被変調波として変調器２および３にて変調され、変調器２および３から出力される変調波が、それぞれ切り換えスイッチ５および６に各別に供給される。
【００２１】
一方、デジタルデータ発生器１から出力されるフレーム指示信号を受けた切替信号発生器４は、タイミングおよび制御状態指示信号を受けて、フレーム指示信号の入力時からタイミング指示信号に基づく期間遅れた時期に、切り換えスイッチ５および６の状態切り換えのために、制御状態指示信号に基づき図２（ｃ）および図２（ｄ）に示す如く、切り換え信号ａおよびｂの状態が変更される。切り換え信号ａおよびｂの状態変更は制御状態指示信号により選択することができる。以下、詳細に説明する。
【００２２】
図２（ａ）は図３（ａ）を再記したものでフレーム構成を示し、図２（ｂ）は図３（ｃ）を再記したものでフレーム指示信号を示している。
【００２３】
切り換え信号ａが高電位状態であり、かつ切り換え信号ｂが低電位状態であるときには、切り換え信号ａの制御の下に切り換えスイッチ５はオン状態に制御されて、変調器２から送出される変調波Ａは切り換えスイッチ５を介して加算器７に導かれ、切り換え信号ｂの制御の下に切り換えスイッチ６はオフ状態に制御されて、変調器３から送出される変調波Ｂは切り換えスイッチ６によって遮断されている状態であって、図２（ｅ）に示す如く、変調波Ａのみが加算器７に供給されて、加算器７から変調波Ａのみが送出される。
【００２４】
上記この状態中においてタイミング指示信号に基づきフレーム指示信号の入力時において切り換えることが指示され、かつ制御状態指示信号によって瞬時切り換えが指示されると、フレーム指示信号の入力時に切り換え信号ａが高電位状態から低電位状態に切り換えられ、同時に切り換え信号ｂが低電位状態から高電位状態に切り換えられる。
【００２５】
この瞬時切り換え指示により、切り換え信号ａの制御の下に切り換えスイッチ５はオフ状態に切り換えられて変調波Ａは切り換えスイッチ５によって遮断されるが、切り換え信号ｂの制御の下に切り換えスイッチ６はオン状態に切り換えられて変調波Ｂは切り換えスイッチ６を介して加算器７に供給され、図２（ｅ）に示す如く、加算器７から変調波Ｂのみが送出される。この状態は上記した（ａ）の状態であって、変調波Ａと変調波Ｂとは瞬時に切り換えられる。
【００２６】
次に、タイミング指示信号に基づきフレーム指示信号の入力からフレーム指示信号の周期よりも短い所定の時期において切り換えることが指示され、かつ制御状態指示信号に基づき重複切り換えが指示されると、前記所定の時期に切り換え信号ａが低電位状態から高電位状態に切り換えられ、次のフレーム指示信号の発生時に切り換え信号ｂが高電位状態から低電位状態に切り換えられる。
【００２７】
この重複切り換え指示により、切り換え信号ａおよびｂが共に高電位である期間が前記所定の期間にわたって存在し、この所定の期間中においては、切り換えスイッチ５は切り換え信号ａの制御の下にオン状態に切り換えられて変調波Ａは切り換えスイッチ５を介して加算器７へ送出され、切り換えスイッチ６は切り換え信号ｂの制御の下に直前の状態であるオン状態に維持されて変調波Ｂは切り換えスイッチ６を介して加算器７に供給される。したがって、この状態では図２（ｅ）に示す如く、加算器７にて両変調波が加算されて変調波（Ａ＋Ｂ）が送出される。この状態は上記した（ｂ）の状態であって、変調波Ａと変調波Ｂとは加算されて送出される。
【００２８】
上記した重複切り換えにより、切り換え信号ａが低電位状態から高電位状態に切り換えられ、所定の期間遅れて切り換え信号ｂが高電位状態から低電位状態に切り換えられて、切り換え信号ａおよびｂが共に高電位である期間、すなわち上記の（ｂ）の状態が経過したときは、切り換えスイッチ５は切り換え信号ａの制御の下にオン状態に維持されて、変調波Ａは切り換えスイッチ５を介して加算器７へ送出され、切り換えスイッチ６は切り換え信号ｂの制御の下にオフ状態に切り換えられて、変調波Ｂは切り換えスイッチ６で遮断されて、図２（ｅ）に示す如く、加算器７から変調波Ａのみが送出される。
【００２９】
タイミング指示信号に基づきフレーム指示信号の入力からフレーム指示信号の周期よりも短い所定の時期において切り換えることが指示され、かつ制御状態指示信号に基づき遮断切り換えが指示されると、切り換え信号ａが高電位状態から低電位状態に切り換えられ、所定の期間遅れて切り換え信号ｂが低電位状態から高電位状態に切り換えられる。この遮断切り換えにより、切り換え信号ａおよびｂが共に低電位である期間が所定の期間にわたって存在し、この所定の期間中においては、切り換えスイッチ５は切り換え信号ａの制御の下にオフ状態に制御され、切り換えスイッチ６は切り換え信号ｂの制御の下にオフ状態に維持されて、変調波ＡおよびＢは切り換えスイッチ５および６によって遮断されて、加算器７に供給される変調はなく、この状態は上記した（ｃ）の状態であって、図２（ｅ）に示す如く、加算器７から送出される変調波は存在しない状態となる。
【００３０】
上記した遮断切り換えにより、切り換え信号ａが高電位状態から低電位状態に切り換えられ、所定期間遅れて切り換え信号ｂが低電位状態から高電位状態に切り換えられて、切り換え信号ａおよびｂが共に低電位である期間が経過、すなわち（ｃ）の状態が経過したときは、切り換えスイッチ５は切り換え信号ａの制御の下にオフ状態に維持されて、変調波Ａは切り換えスイッチ５にて遮断され、切り換えスイッチ６は切り換え信号ｂの制御の下にオン状態に切り換えられて、変調波Ｂは切り換えスイッチ６を介して加算器７へ送出されて、図２（ｅ）に示す如く、加算器７から変調波Ｂのみが送出される。
【００３１】
上記の説明において図２では瞬時切り換え状態、重複切り換え状態、遮断切り換え状態が続いているように図示しているが、瞬時切り換え状態、重複切り換え状態、遮断切り換え状態はそれぞれ独立して設定することも、フレーム途中において設定することもできる。
【００３２】
瞬時切り換え時期、重複切り換え時期、遮断切り換えの切り換え時期は、例えば、切替信号発生器４にデジタルデータ発生器１から出力されるデジタルデータをカウントするプリセットカウンタを設け、シミュレート開始時に続くフレーム指示信号でプリセットカウンタにプリセット値をロードし、デジタルデータの出力毎にダウンカウントしてプリセット値に達したときにタイミング指示信号を発生させて切り換え時期とすればよい。また、瞬時切り換え状態の継続期間、重複切り換え状態の継続期間、遮断切り換え状態の継続期間も、同様に例えば、タイミング信号によってカウントを開始するプリセットカウンタによって設定することがきる。または、タイミング信号によってトリガされる単安定マルチバイブレータによって設定することもできる。
【００３３】
このように、本発明の実施の一形態にかかるサイトダイバーシティシミュレータによれば、フレーム指示信号の入力時からタイミング指示信号に基づく時間遅れた時期に、切り換え信号ａおよびｂの状態を制御状態指示信号に基づいて瞬時切り換え、重複切り換え、遮断切り換え状態に切り換えることができる。
【００３４】
以上、説明したように本発明の実施の一形態にかかるサイトダイバーシティシミュレータによれば、タイミング指示信号により切り換えスイッチ５および６の切り換えの時期が指定でき、かつ制御状態指示信号に基づいて瞬時切り換え、重複切り換え、遮断切り換えを選択することができる。
【００３５】
【発明の効果】
以上説明したように本発明にかかるサイトダイバーシティシミュレータによれば、実際に衛星を使用せず、かつアップリンク局を運用することなしに、フレーム指示信号を基準に指定した時期に変調波の瞬時切り換え、重複切り換え、遮断切り換えの選択が行えて、サイトダイバーシティを模擬することができるという効果が得られる。この結果、衛星、２つのアップリンク局を動作させることなしに、サイトダイバーシティ運用を所望の時期に模擬することができて、衛星放送受信機の開発に有効である。
【図面の簡単な説明】
【図１】本発明の実施の一形態にかかるサイトダイバーシティシミュレータの構成を示すブロック図である。
【図２】本発明の実施の一形態にかかるサイトダイバーシティシミュレータの作用の説明に供するタイミング図である。
【図３】本発明の実施の一形態にかかるサイトダイバーシティシミュレータにおけるデジタルデータ発生器から送出されるデジタルデータの説明に供する模式図である。
【図４】サイトダイバーシティ運用の説明に供する模式図である。
【符号の説明】
１  デジタルデータ発生器
２および３  変調器
４  切替信号発生器
５および６  切り換えスイッチ
７  加算器
【図１】
0003594237.tif 000002
【図２】
0003594237.tif 000003
【図３】
0003594237.tif 000004
【図４】
0003594237.tif 000005